(57)【要約】【課題】外壁パネルを支持するフレームを柱に木ネジで固定する際に、木ネジに巻付かず、また、長期間の使用に耐えることのできる二次止水材を提供する。【解決手段】建物の外壁パネル２間に形成される目地の屋内側において、前記外壁パネル２を支持するフレーム３と柱４との間に建物用二次止水材を設け、前記フレーム３を柱４に固定する木ネジ５で建物用二次止水材を貫通して固定する建物用二次止水材の取付構造であって、前記建物用二次止水材の前記木ネジ５が貫通する貫通部１１の前記柱４に接触する側をゴムまたはゴム様弾性体のスポンジ材Ｐで形成すると共に、該貫通部１１の前記フレーム３に接触する側と該貫通部１１の両側である延設部１２をゴムまたはゴム様弾性体のソリッド材Ｌで形成し、前記延設部１２に、前記フレーム３に弾接するゴムまたはゴム様弾性体のソリッド材Ｌで形成したシール部１３を一体設する。【選択図】　　　図４
2004108048.tif 000002
【特許請求の範囲】
【請求項１】
建物の外壁パネル（２）間に形成される目地の屋内側において，前記外壁パネルを支持するフレーム（３）と柱（４）との間に建物用二次止水材を設け，前記フレームを柱に固定する木ネジ（５）で建物用二次止水材を貫通して固定する建物用二次止水材の取付構造であり、前記建物用二次止水材の前記柱に接触する側をゴムまたはゴム様弾性体のスポンジ材（Ｐ）で形成し，前記フレームに接触する側をゴムまたはゴム様弾性体のソリッド材（Ｌ）で形成してなることを特徴とする建物用二次止水材の取付構造。
【請求項２】
建物の外壁パネル（２）間に形成される目地の屋内側において，前記外壁パネルを支持するフレーム（３）と柱（４）との間に建物用二次止水材を設け，前記フレームを柱に固定する木ネジ（５）で建物用二次止水材を貫通して固定する建物用二次止水材の取付構造であり、前記建物用二次止水材の前記木ネジが貫通する貫通部（１１）の前記柱に接触する側をゴムまたはゴム様弾性体のスポンジ材（Ｐ）で形成すると共に，該貫通部の前記フレームに接触する側と該貫通部の両側である延設部（１２）をゴムまたはゴム様弾性体のソリッド材（Ｌ）で形成し、前記延設部に，前記フレームに弾接するゴムまたはゴム様弾性体のソリッド材で形成したシール部（１３）を一体設してなることを特徴とする建物用二次止水材の取付構造。
【発明の詳細な説明】
【０００１】
【発明の属する技術分野】本発明は、建物の外壁パネル間に形成される目地の屋内側に取付けられる建物用二次止水材の取付構造に関するものである。
【０００２】
【従来の技術】建物の外壁パネル２間に形成される目地には、屋外側に取付けられる一次止水材１と共に、屋内側に二次止水材２０が取付けられる。この二次止水材２０は、図１および図２に示すようなゴムまたはゴム様弾性体のスポンジ材Ｐであり、柱４に両面接着テープ等で固定される。そして、この二次止水材２０には、外壁パネル２を支持するフレーム３と柱４とを連結するために約５００ｍｍ間隔で長手方向にねじ込まれる木ネジ５が貫通する。
【０００３】
こうして設けた屋内側の二次止水材２０と屋外側の一次止水材１とによって外壁パネル２間における防水性を確保している。
【０００４】
従来の建築用パネルシール材として、家屋の構造材及びその構造材に取付られる建築用パネルの外周面のうちいずれか一方に接着され、その建築用パネルと前記構造材との隙間を封止するシール材であって、前記シール材は、長尺形状の弾性体からなり、その表面には互いに相反する方向に傾斜する複数のひだが形成されている建築用パネルシール材が開示されている。（例えば特許文献１参照）。
【０００５】
また、別の壁パネル用シール材として、多数のパネル材で構成された建築物の壁パネルの縦目地を屋内側から裏打ちするシール材であって、縦目地に沿い建築物の骨柱に取付けられる基板部と、基板部の両側縁に沿ってチューブ状に形成され、縦目地の左右両側で壁パネルの内面に圧接される中空シール部を備えたシール材において、基板部の幅方向中央に沿い、基板部から縦目地をまたぐように断面Ｖ字形に突出し、先端が上記両中空シール部の内側で壁パネルの内面に圧接する一対のシールリップを形成するとともに、両シールリップの根元又部沿いに溝を形成し、上記骨柱に上下方向に所定の間隔をおいて突設された足場用等の受金具部材に対応する位置で上記溝にスリットを形成し、該スリットにより上記受金具部材を基板部の背面側から前面側へ貫通せしめるようになした壁パネル用シール材が開示されている。
【０００６】
上記２文献ともに、本発明の木ネジで固定する際にスポンジ材がまきついてやぶれる事については開示及び示唆はされていなく、また、その課題を解決する手段として、本発明の柱に接触する側をスポンジ材とし、フレームに接触する側をソリッド材とした建築用二次止水材の取付構造については開示されていない。
【０００７】
【特許文献１】
特開平９−７２００８号公報（第３−４頁、図２、図３）
【特許文献２】
特開平６−３１３３４０号公報（第２−３頁、図１、図２）
【０００８】
【発明が解決しようとする課題】しかし、従来の二次止水材２０はスポンジ材Ｐで形成しているため材料強度が弱く、木ネジ５をねじ込む際に、その木ネジ５に巻付いて破れてしまうことがある。
【０００９】
また、このスポンジ材Ｐで形成した二次止水材２０は、ゴムやゴム様弾性体で形成したソリッド材に比べて長期間におよぶ圧縮によって大きく歪み、長期的な使用においては信頼性に欠けるという問題がある。
【００１０】
本発明はこうした問題に鑑み創案されたもので、外壁パネル２を支持するフレーム３を柱４に木ネジ５で固定する際に、木ネジ５に巻付かず、また、長期間の使用に耐えることのできる二次止水材を提供することを課題とするものである。
【００１１】
【課題を解決するための手段】図３乃至図６を参照して説明する。第一の発明は、建物の外壁パネル２間に形成される目地の屋内側において，前記外壁パネルを支持するフレーム３と柱４との間に建物用二次止水材を設け，前記フレームを柱に固定する木ネジ５で建物用二次止水材を貫通して固定する建物用二次止水材の取付構造であり、前記建物用二次止水材の前記柱に接触する側をゴムまたはゴム様弾性体のスポンジ材Ｐで形成し，前記フレームに接触する側をゴムまたはゴム様弾性体のソリッド材Ｌで形成してなるものである。
【００１２】
第二の発明は、建物の外壁パネル２間に形成される目地の屋内側において，前記外壁パネルを支持するフレーム３と柱４との間に建物用二次止水材を設け，前記フレームを柱に固定する木ネジ５で建物用二次止水材を貫通して固定する建物用二次止水材の取付構造であり、前記建物用二次止水材の前記木ネジが貫通する貫通部１１の前記柱に接触する側をゴムまたはゴム様弾性体のスポンジ材Ｐで形成すると共に，該貫通部の前記フレームに接触する側と該貫通部の両側である延設部１２をゴムまたはゴム様弾性体のソリッド材Ｌで形成し、前記延設部に，前記フレームに弾接するゴムまたはゴム様弾性体のソリッド材で形成したシール部１３を一体設してなるものである。
【００１３】
【発明の実施の形態】第二の発明に係る建物用二次止水材の取付構造の実施形態を、図３および図４に示す。この二次止水材１０は、建物の外壁パネル２間に形成される目地の屋内側において、外壁パネル２を支持するフレーム３と柱４との間に設けられ、フレーム３を柱４に固定する木ネジ５が貫通するものである。なお、この二次止水材１０は、あらかじめ柱４に両面接着テープによって貼着する。また、この二次止水材１０は、目地の屋外側に設けた一次止水材１と共に使用される。
【００１４】
そして、木ネジ５が貫通する部分である貫通部１１において、柱４に接触する側をゴムまたはゴム様弾性体である肉厚のスポンジ材Ｐで形成すると共に、その貫通部１１のフレーム３に接触する側と当該貫通部１１の両側である延設部１２をゴムまたはゴム様弾性体である肉薄のソリッド材Ｌで、スポンジ材Ｐに一体的に形成している。また、延設部１２に、フレーム３に弾接するゴムまたはゴム様弾性体のソリッド材Ｌで形成したリップ状のシール部１３を四本、一体設している。
【００１５】
この建物用二次止水材１０は、貫通部１１において、柱４に接触する側を肉厚のスポンジ材Ｐで形成すると共に、フレーム３に接触する側を肉薄のソリッド材Ｌで形成して、当該スポンジ材Ｐをソリッド材Ｌで被覆しているので、木ネジ５をねじ込む際に当該木ネジ５に巻き付いて破れてしまうことがない。
【００１６】
また、貫通部１１のフレーム３に接触する側と、貫通部１１の両側である延設部１２をソリッド材Ｌで形成しているので、長期間圧縮されても歪みが少なく、長期の使用に耐えることができる。さらに、貫通部１１の柱４に接触する部分をスポンジ材Ｐで形成すると共に、延設部１２にシール部１３を設けているので、シール性にも優れる。
【００１７】
なお、シール部１３の形状は本実施形態で示すものに限定されるものではなく、例えば、図５に示すような中空形状とすることもできる。
【００１８】
第一の発明に係る建物用二次止水材の取付構造の実施形態を、図６に示す。この二次止水材１０も、建物の外壁パネル２間に形成される目地の屋内側において、外壁パネル２を支持するフレーム３と柱４との間に設けられ、フレーム３を柱４に固定する木ネジ５が貫通するものである。
【００１９】
そして、柱４に接触する側をゴムまたはスポンジゴム様弾性体である肉厚のスポンジ材Ｐで形成し、フレーム３に接触する側をゴムまたはゴム様弾性体である肉薄のソリッド材Ｌで、スポンジ材Ｐに一体的に形成している。
【００２０】
なお、この二次止水材１０は、図６（ａ）に示すように、柱４およびフレーム３の全幅にわたって弾接するものであっても良いし、また、図６（ｂ）に示すように、その中央部分のみに弾接する短いものであっても良い。
【００２１】
この二次止水材１０においても、スポンジ材Ｐをソリッド材Ｌで一体的に覆っているので、木ネジ５をねじ込む際に当該木ネジ５に巻き付いて破れることがない。また、フレーム３に接触する側をソリッド材Ｌで形成しているので、スポンジ材Ｐのみで形成した場合と比較して長期間の圧縮による歪みを抑制することができ、長期の使用に耐えることができる。
【００２２】
また、柱４に接触する側をスポンジ材Ｐで形成しているので、高いシール性を発揮することができる。
【００２３】
スポンジ材とは、発泡体でしかも比重が０．３〜０．８のゴム又はゴム様弾性体のものをいい、ソリッド材とは非発泡体又は微発泡体で，比重が０．９〜１．２のゴム又はゴム様弾性体のものを言う。
【００２４】
【発明の効果】請求項１に記載の発明に係る建物用二次止水材１０は、柱４に接触する側をスポンジ材Ｐで形成し、フレーム３に接触する側をソリッド材Ｌで形成しているので、木ネジ５をねじ込む際に当該木ネジ５に巻き付いて破れることがない。
【００２５】
また、フレーム３に接触する側をソリッド材Ｌで形成しているので、歪みを抑制することができ、長期の使用に耐えることができる。さらに、柱４に接触する側をスポンジ材Ｐで形成しているので、高いシール性を発揮することができる。
【００２６】
請求項２に記載の発明に係る建物用に時止水材は、貫通部１１において、柱４に接触する側をスポンジ材Ｐで形成すると共に、フレーム３に接触する側をソリッド材Ｌで形成しているので、木ネジ５をねじ込む際に当該木ネジ５に巻き付いて破れてしまうといった事態を未然に防止することができる。
【００２７】
また、貫通部１１のフレーム３に接触する側と、貫通部１１の両側である延設部１２をソリッド材Ｌで形成しているので歪みが少なく、長期の使用に耐えることができる。
さらに、貫通部１１の柱４に接触する部分をスポンジ材Ｐで形成すると共に、延設部１２にシール部１３を設けているので、シール性にも優れる。
【図面の簡単な説明】
【図１】従来例に係る二次止水材を示す正面図である。
【図２】図１に示す二次止水材を取付けた状態を示す正面断面図である。
【図３】第二の発明に係る二次止水材の実施形態を示す正面断面図である。
【図４】図３に示す二次止水材を取付けた状態を示す正面断面図である。
【図５】第二の発明に係る二次止水材の他の実施形態を示す正面断面図である。
【図６】第一の発明に係る二次止水材の実施形態を示す正面図である。
【符号の説明】
１　　　一次止水材
２　　　外壁パネル
３　　　フレーム
４　　　柱
５　　　木ネジ
１０　　二次止水材
１１　　貫通部
１２　　延設部
１３　　シール部
２０　　二次止水材
Ｌ　　　ソリッド材
Ｐ　　　スポンジ材
【図１】
2004108048.tif 000003
【図２】
2004108048.tif 000004
【図３】
2004108048.tif 000005
【図４】
2004108048.tif 000006
【図５】
2004108048.tif 000007
【図６】
2004108048.tif 000008